(57)【要約】【課題】  第１の課題として、色度による表示のばらつきがない表示にでき、第２の課題として、光源の位置による輝度ムラがない表示にできる可変表示構造を提供すること。【解決手段】  シート１０ｇの片面に施された、第１光源３の波長のみを透過させる第１印刷部分１０ｂと、シート１０ｇの第１印刷部分１０ｂを設けた面に施された、第２光源４の波長のみを透過させる第２印刷部分１０ｃと、シート１０ｇに施された、第１光源３の波長と第２光源４の波長を透過させない背景印刷部分１０ｅと、シート１０ｇに施された、第１表示１２と第２表示１３の重複する部分と重なる部分で、第１光源３及び第２光源４の光を抑制する調光印刷部分１０ｆとを備え、第１印刷部分１０ｂ、第２印刷部分１０ｃに、インキの量を段階的に変化させたグラデーション部を設けた。【選択図】        図１０
2006126297.tif 000002
【特許請求の範囲】
【請求項１】
透光性のあるシートに波長の異なる第１光源の光と第２光源の光を切り換えて投光させ、
第１表示と第２表示を行わせる可変表示構造であって、
前記シートの片面に施された、第１光源の波長のみを透過させる第１印刷部分と、
前記シートの前記第１印刷部分を設けた面に施された、第２光源の波長のみを透過させる第２印刷部分と、
前記シートの前記第１印刷部分を設けた面に施された、第１光源の波長と第２光源の波長を透過させない第３印刷部分と、
前記第１表示と前記第２表示の重複する部分と重なる部分で、第１光源及び第２光源の光を抑制して輝度及び色度を調整する調光印刷部を備えた、
ことを特徴とする可変表示構造。
【請求項２】
請求項１に記載された可変表示構造において、
前記調光印刷部は、
第１表示１２と第２表示１３の重複する部分より面積を大きくして、前記シートの前記第１印刷部分を設けた面と反対側の面に施された、
ことを特徴とする可変表示構造。
【請求項３】
請求項１又は請求項２に記載された可変表示構造において、
前記調光印刷部は、
前記第１光源が点灯した際に、前記第１印刷部分を通過した光と、前記調光印刷部を通過した光の色みが同じになるよう前記調光印刷部の色度を調整し、
前記第２光源が点灯した際に、前記第２印刷部分を通過した光と、前記調光印刷部を通過した光の色みが同じになるよう前記調光印刷部の色度を調整した、
ことを特徴とする可変表示構造。
【請求項４】
請求項１〜請求項３に記載された可変表示構造において、
前記調光印刷部は、
透過率の波長特性が、
前記第１光源の波長帯域においては、前記第１印刷部分の透過率の波長特性と近似させ、
前記第２光源の波長帯域においては、前記第２印刷部分の透過率の波長特性と近似させた、
ことを特徴とする可変表示構造。
【請求項５】
透過性のあるシートに波長の異なる第１光源の光と第２光源の光を切り換えて投光させ、
第１表示と第２表示を行わせる可変表示構造であって、
前記シートの片面に施された、第１光源の波長のみを透過させる第１印刷部分と、
前記シートの前記第１印刷部分を設けた面に施された、第２光源の波長のみを透過させる第２印刷部分と、
前記シートに施された、第１光源の波長と第２光源の波長を透過させない第３印刷部分と、
前記シートに施された、前記第１表示と前記第２表示の重複する部分と重なる部分で、第１光源及び第２光源の光を抑制する調光印刷部分と、
を備え、
前記第１印刷部分、前記第２印刷部分、前記調光印刷部分の少なくともいずれか一つに、インキの量を段階的に変化させたグラデーション部を設けた、
ことを特徴とする可変表示構造。
【請求項６】
請求項５に記載の可変表示構造において、
前記第３印刷部分と前記調光印刷部分を前記シートの前記第１印刷部分に設けた面に施すようにし、
前記シートの前記第１印刷部分を設けた面と反対側の面に、第１光源及び第２光源の光を拡散させる拡散印刷部分を設け、
前記拡散印刷部分に、インキの量を段階的に変化させたグラデーション部を設けた、
ことを特徴とする可変表示構造。
【請求項７】
請求項５又は請求項６に記載の可変表示構造において、
前記調光印刷部分に前記グラデーション部を設け、
前記調光印刷部分のグラデーション部は、
前記第１光源の光と同色系のインキ量と、
前記第２光源の光と同色系のインキ量の少なくともいずれかを、
光源との距離に応じて段階的に変化させた、
ことを特徴とする可変表示構造。
【請求項８】
請求項５又は請求項６に記載の可変表示構造において、
前記調光印刷部分に前記グラデーション部を設け、
前記調光印刷部分の全体のインキ量を光源との距離に応じて段階的に変化させた、
ことを特徴とする可変表示構造。
【発明の詳細な説明】
【技術分野】
【０００１】
本発明は、同一表示面に異なる表示を切り換えて表示させる可変表示構造の技術分野に属する。
【背景技術】
【０００２】
従来においては、第１波長領域の青色光を通過させる第１領域、第２波長領域の緑色光を通過させる第２領域、背景を形成するその他の領域を箔シート後面にプリント印刷し、後方から、青色光の第１光源と緑色光の第２光源で照明している（例えば、特許文献１参照。）。
【特許文献１】特開２００１−１００６７９号公報（第２−８頁、全図）
【発明の開示】
【発明が解決しようとする課題】
【０００３】
しかしながら、従来にあっては、色度の差により表示にばらつきが生じていた。また、光源の位置によって全体的に輝度ムラが生じていた。
【０００４】
本発明は、上記問題点に着目してなされたもので、その目的とするところは、第１の課題として、色度による表示のばらつきがない表示にでき、第２の課題として、光源の位置による輝度ムラがない表示にできる可変表示構造を提供することにある。
【課題を解決するための手段】
【０００５】
上記目的を達成するため、本発明では、透光性のあるシートに波長の異なる第１光源の光と第２光源の光を切り換えて投光させ、第１表示と第２表示を行わせる可変表示構造であって、前記シートの片面に施された、第１光源の波長のみを透過させる第１印刷部分と、前記シートの前記第１印刷部分を設けた面に施された、第２光源の波長のみを透過させる第２印刷部分と、前記シートの前記第１印刷部分を設けた面に施された、第１光源の波長と第２光源の波長を透過させない第３印刷部分と、前記第１表示と前記第２表示の重複する部分と重なる部分で、第１光源及び第２光源の光を抑制して輝度及び色度を調整する調光印刷部を備えたことを特徴とする。
なお、請求項４における「インキの量」は、特定色のインキの量でも、全体のインキの量であっても含まれるものとする。
【発明の効果】
【０００６】
よって、本発明にあっては、第１の効果として、色度による表示のばらつきがない表示にでき、第２の効果として、光源の位置による輝度ムラがない表示にできる。
【発明を実施するための最良の形態】
【０００７】
以下、本発明の可変表示構造を実現する実施の形態を、実施例１〜実施例４に基づいて説明する。
【実施例１】
【０００８】
まず、構成を説明する。
図１は実施例１の可変表示構造を示す断面図である。図２は実施例１の可変表示構造のカラーフィルタの正面図及び背面図である。図３は図２(a)のＡ−Ａ断面図である。図４は実施例１の可変表示構造の断面図である。図５は実施例１の可変表示構造の第１表示と第２表示を示す説明図である。図６は実施例１の可変表示構造の第１印刷部分、第２印刷部分の特性と第１光源、第２光源の波長との関係を示す説明図である。
【０００９】
スイッチ１は、まず、矩形枠状のスイッチフィニッシャ２の内部に矩形枠状のガイドハウジング７を設ける（図１参照）。
ガイドハウジング７には、矩形枠状のスイッチフィニッシャ２の開口面から開口面へ向かう方向、つまり、前後面に摺動可能なレール部分を設ける。
スイッチフィニッシャ２及びガイドハウジング７の背面側には、開口を塞ぐ板状の基板６を設ける。
基板６の前面側、つまりスイッチフィニッシャ２の内部側には、波長が約５００nmをピークとする第１光源３と、波長が約６００nmをピークとする第２光源４、押されることによりON/OFFの操作入力を行うタクトスイッチ５を設ける。
【００１０】
第１光源３及び第２光源４としては、異なる色を発光するLEDがコスト抑制、メンテナンス性から好ましいが、別のものであってもよい。
次に内外で２重の枠部分を有するスライダ８を設ける。スライダ８の内部の枠部分は、第１光源３及び第２光源４側に行くに従って角錐状に内側が狭くなる形状にする。また、スライダ８の内側の枠形状部分は後方に延長し、第１光源３及び第２光源４の側方を覆うようにする。
さらに、スライダ８の内側の枠形状部分の下方傾斜面には、下方に突出する形状の係合部８ａを設ける。係合部８ａの位置は、下方に移動するとタクトスイッチ５と係合する位置にする。
スライダ８の内側枠部分の前面部分には、カラーフィルタ１０を設ける。
カラーフィルタ１０の前面部分には、消灯時に外光によって印刷パターンが見えてしまうのを防ぐために全体的に透光性が低くされたスモークレンズ１１を設ける。
【００１１】
ここで、スモークレンズ１１、カラーフィルタ１０を取り付けたスライダ８を、ガイドハウジング７のレール部分に係合させて前後に摺動自在にする。
これにより、スライダ８をタクトスイッチ５に向かって押すと、スライダ８が摺動して傾斜面から下方に突出する形状の係合部８ａがタクトスイッチ５を押す構造にする。
また、押された後に、自由状態にすると、タクトスイッチの反力で戻る構造にする。
【００１２】
カラーフィルタ１０は、透明なシート１０ｇ前面に、第１印刷部分１０ｂ、第２印刷部分１０ｃ、重なり部分１０ｄ（無印刷部分）、背景印刷部分１０ｅを設け、シート後面に拡散印刷部１０ａ、調光印刷部分１０ｆを設ける。
ここで、第１表示１２を図５(a)に示すように文字の「Ａ」、第２表示１３を図５(b)に示すように文字の「Ｅ」とする。
第１印刷部分１０ｂは、第１表示１２である「Ａ」の第２表示１３「Ｅ」と重ならない図２(a)の部分であり、赤色光を通過させる赤い色の印刷である。この第１印刷部分１０ｂの波長に対する透過効率の特性は、図６の線２１で示す特性となる。
【００１３】
第２印刷部分１０ｃは、第２表示１３である「Ｅ」の第１表示１２「Ａ」と重ならない図２(a)の部分であり、青色光を通過させる青い色の印刷である。この第２印刷部分１０ｃの波長に対する透過効率の特性は、図６の線２３で示す特性となる。
重なり部分１０ｄは、第１表示１２の「Ａ」と第２表示１３の「Ｅ」とが重なった部分である。実施例１では、第１印刷部分１０ｂ、第２印刷部分１０ｃを施すシートの前面には、何も印刷しない。つまり、前面の重なり部分１０ｄには何も印刷せず、印刷は後面に行う。
【００１４】
第１印刷部分１０ｂと第２印刷部分１０ｃは、実際に表示する第１表示１２及び第２表示１３よりやや幅広く印刷しておく。つまり、印刷精度をやや緩和したものでよい。その上から黒い印刷である背景印刷部分１０ｅを印刷することにより、第１印刷部分１０ｂと第２印刷部分１０ｃの外周縁位置が決まるようにする。
さらに、第１印刷部分１０ｂや第２印刷部分１０ｃを設けた前面と反対側の後面には、拡散印刷部１０ａを設ける。拡散印刷部１０ａは、入光を拡散して出光させるものである。
この第１印刷部分１０ｂ等と反対側の後面の拡散印刷部１０ａ上に、調光印刷部１０ｆを設ける。調光印刷部１０ｆを設ける位置は、重なり部分１０ｄの印刷の無い前面部分と重なる位置である。
調光印刷部１０ｆは、波長に対する透過効率の特性として、図６に示す特性を有することによって、輝度と色みの両方において、調光を行う。
【００１５】
次に作用を説明する。
[表示作用]
(a)第１表示
実施例１において、第１表示１２を表示させるには、第１光源３を点灯させ、第２光源を消灯する。
第１光源３から発せられる光は、スライダ８の内側枠で、第１光源３の側方に発散する光を前方に反射する。
このスライダ８の内側枠の内部空間を通るようにして、前面部分からカラーフィルタ１０に光が入光する。
【００１６】
カラーフィルタを構成する拡散印刷部１０ａの背面の一部には、調光印刷部１０ｆを設けているため、この部分において、輝度及び色みの調整がされて、光が拡散印刷部１０ａに入光することになる。
また、調光印刷部１０ｆ以外の部分では、輝度を損なうことなく拡散印刷部１０ａに入光する。
拡散印刷部１０ａでは、光が拡散され前面に向かうことになる。
この拡散により、第１印刷部分１０ｂ及び第２印刷部分１０ｃと、調光印刷部１０ｆの輝度及び色みの格差がなくなる。
【００１７】
シート１０ｇの前面における、第１印刷部分１０ｂでは、図６に示すように第１光源３の光を通過させる（線２１と線２２で示す関係）ため、第１印刷部分１０ｂが明るく表示する。
この表示は、拡散印刷部１０ａにより光が拡散するため、光源の位置に重なる部分の輝度が最も高くなりすぎることなく、均一した表示になる。
【００１８】
さらに、重なり部分１０ｄ、つまり調光印刷部１０ｆでは、図６の波長に対する透過効率の関係において、第１光源３の光（線２２）で示される特定波長域の透過特性が、第１印刷部分１０ｂ（線２１）と調光印刷部１０ｆ（線２５）で近似している。
この図６の線２１と線２５における近似の状態において、透過効率が近似していることにより、輝度が第１印刷部分１０ｂと調光印刷部１０ｆで近似し、特定波長域が近似していることにより、色みが第１印刷部分１０ｂと調光印刷部１０ｆで近似する。
【００１９】
一方、第２印刷部分１０ｃは、図６において、第１光源３の特性（線２２）に対して線２３で示す特性になるため、第１光源３の光は通過できない。
また、背景印刷部分１０ｅは、第１光源３の光、第２光源４の光のいずれも通過させない。
これにより、第１表示１２、つまり図５(a)に示す「Ａ」が表示されることになる。
【００２０】
(b)第２表示
実施例１において、第２表示１３を表示させるには、第２光源４を点灯させ、第１光源３を消灯する。
すると、第２印刷部分１０ｃと第２光源４との関係は、図６の線２３と線２４の関係となるため、第２印刷部分１０ｃが明るく表示される。
さらに、重なり部分１０ｄ、つまり調光印刷部１０ｆでは、図６の波長に対する透過効率の関係において、第２光源４の光（線２４）で示される特定波長域の透過特性が、第２印刷部分１０ｃ（線２３）と調光印刷部１０ｆで近似している。
【００２１】
この図６の線２３と線２５における近似の状態において、透過効率が近似していることにより、輝度が第２印刷部分１０ｃと調光印刷部１０ｆで近似し、特定波長が近似していることにより、色みが第２印刷部分１０ｃと重なり部分１０ｆで近似する。
一方、第１印刷部分１０ｂと第２光源４との関係は、図６において、線２１と線２４の関係となるため、第２光源４の光は通過できない。
また、背景印刷部分１０ｅは第１光源３及び第２光源の光をいずれも通過させない。
これにより、第２表示１３つまり、図５(b)に示す「Ｅ」が表示されることになる。
【００２２】
[スイッチ作用]
実施例１では、操作する人がスモークレンズ１１を押すと、一体化したスライダ８が摺動し、スライダ８の一部がタクトスイッチ５を押す。
スイッチ１としては、基板６に設けられる図示しない回路によって、どちらの表示状態において、タクトスイッチ５に入力があったかを判断し、２つの操作入力として使用する。これにより、１つのスイッチにおいて、異なるモードでの操作入力が可能となる。
【００２３】
[コスト抑制作用及び光漏れ防止作用]
実施例１では、印刷を設けない重なり部分１０ｄを前面に設け、調光印刷部分１０ｆを後面に設ける。
そのため、前面における印刷精度の緩和となり、また、光漏れが防止される。
また、第１表示１２、第２表示１３は、黒色の背景印刷部分１０ｅにより所定の寸法形状で意匠部分を抜くポジ印刷ができるため、高精度の印刷を行うことなく精度のよい表示が行える。
また、印刷位置ズレによる光漏れは生じない。
さらに、調光印刷部分１０ｆは、重なり部分１０ｄより面積を広くしているので、精度を必要とせずに設けることができ、コストが抑制される。
【００２４】
[表示品質の向上作用]
(a)重なり部分１０ｄに印刷を施さない作用
重なり部分には、印刷を設けないため、印刷部分と印刷部分との印刷ずれが生じることがないため、表示品質が向上する。
【００２５】
(b)スライダの集光作用
スライダ８の枠状部分は、光源の側方への光を集めて前方に向かわせる。よって、全体的により明るい表示にすることができ、表示品質が向上する。
【００２６】
(c)調光印刷部における調光作用
実施例１では、調光印刷部１０ｆにより、輝度と色みの調整が行われる。まず、輝度が調整されると、第１表示１２及び第２表示１３において、調光印刷部１０ｆとの差が目立たなくなり、その光の形状と色から第１表示１２、第２表示１３が認識される。輝度が調整されることにより、調光印刷部１０ｆを特に目立たなくし、良好に表示が認識される。
この輝度による作用は、調光印刷部１０ｆの形状を光で認識させながらも、目立たせないようにする。目立つと第１印刷部分１０ｂ又は第２印刷部分１０ｃと、調光印刷部１０ｆの差が目立つからである。
【００２７】
輝度による作用に色みの調整作用が加わることによって、第１印刷部分１０ｂと第２印刷部分１０ｃとの色差が小さくなる。すると、光の形状による認識、色による認識が相まって、より表示がはっきりと認識されることになる。
例えば、輝度のみの調整の場合、第１光源３、第２光源４の色、第１印刷部分１０ｂの色、第２印刷部分１０ｃの色のバラツキが大きいと、色差により、ある部分が目立って表示が認識しにくくなり表示品質が低下してしまう。
色みが調整されることにより、それぞれの色差が目立たなくなり、ばらつきがあっても、表示が充分に認識される。よって、より、はっきりと、表示の文字や形状が認識されるよう表示品質が向上する。
【００２８】
次に効果を説明する。実施例１の可変表示構造にあっては、下記に列挙する効果を得ることができる。
【００２９】
(1)透光性のあるシート１０ｇに波長の異なる第１光源３の光と第２光源４の光を切り換えて投光させ、第１表示１２と第２表示１３を行わせる可変表示構造であって、シート１０ｇの片面に施された、第１光源３の波長のみを透過させる第１印刷部分１０ｂと、シート１０ｇの第１印刷部分１０ｂを設けた面に施された、第２光源４の波長のみを透過させる第２印刷部分１０ｃと、シート１０ｇの第１印刷部分１０ｂを設けた面に施された、第１光源３の波長と第２光源４の波長を透過させない背景印刷部分１０ｅと、第１表示１２と第２表示１３の重複する部分と重なる部分で、第１光源３及び第２光源４の光を抑制して輝度及び色度を調整する調光印刷部１０ｆを備えるため、高品質な２種類の表示ができる。
(2)調光印刷部１０ｆは、第１表示１２と第２表示１３の重複する部分より面積を大きくして、シート１０ｇの第１印刷部分１０ｂを設けた面と反対側の面に施されたため、第１印刷部分１０ｂを設けた面における印刷精度の緩和となり、また、光漏れが防止される。さらに、調光印刷部分１０ｆは、重なり部分１０ｄより面積を広くしているので、精度を必要とせずに設けることができ、コストが抑制される。
【００３０】
(3)調光印刷部１０ｆは、第１光源３が点灯した際に、第１印刷部分１０ｂを通過した光と、調光印刷部１０ｆを通過した光の色みが同じになるよう調光印刷部１０ｆの色度を調整し、第２光源４が点灯した際に、第２印刷部分１０ｃを通過した光と、調光印刷部１０ｆを通過した光の色みが同じになるよう調光印刷部１０ｆの色度を調整したため、第１印刷部分１０ｂと調光印刷部１０ｆ、第２印刷部分１０ｃと調光印刷部１０ｆを通過する光の色差を小さくして、高品質な２種類の表示を行うことができる。
【００３１】
(4)調光印刷部１０ｆは、透過率の波長特性が、第１光源３の波長帯域においては、第１印刷部分１０ｂの透過率の波長特性と近似させ、第２光源４の波長帯域においては、第２印刷部分の透過率の波長特性と近似させたため、透過率特性の近似により輝度を調整し、波長特性の近似により色みを調整して、色みの調整により表示の色差を小さくし、輝度の調整でさらに調光印刷部１０ｆによる表示を目立たせないようにして、さらに高品質な２種類の表示を行うことができる。
【実施例２】
【００３２】
実施例２は、拡散シートを用いる例である。すなわち、実施例２では、シート１０ｇ、拡散印刷部１０ａを設けず、図７，図８に示すように拡散シート１０ｈを設ける。拡散シート１０ｈは、半透明であり、これにより光を拡散させて通過させるものである。このように拡散シートを用いてもよい。
その他構成、作用効果は実施例１と同様であるので、説明を省略する。
【実施例３】
【００３３】
実施例３は、印刷に用いるインキの量を段階的に変化させたグラデーション部を設けた例である。
図９は実施例３における第１表示を示す説明図である。図１０は図９のＢ−Ｂ断面図である。
実施例３では、重なり部分１０ｄを設けずに、シート１０ｇの前面、つまり第１印刷部分１０ｂ、第２印刷部分１０ｃを設けた面に調光印刷部分１０ｆを設ける。
さらに、図１０に示すように、第１印刷部分１０ｂには、第１光源３からの距離が遠くなるにつれて、印刷のインキの量を少なくするグラデーション部３１を設け、第２印刷部分１０ｃには、第２光源４からの距離が遠くなるにつれて、印刷のインキの量を少なくするグラデーション部３２を設ける。
【００３４】
シート１０ｇ後面に設けた拡散印刷部１０ａには、第１光源３からの距離が遠くなるにつれて、印刷のインキの量を少なくするグラデーション部３３と、第２光源４からの距離が遠くなるにつれて、印刷のインキの量を少なくするグラデーション部３４とを設ける。
その他構成は、実施例１と同様であるので説明を省略する。
【００３５】
次に作用を説明する。
[輝度ムラについて]
図１３は第１光源３、第２光源４を点灯させた状態を示す説明図である。図１４は図１３のＣ−Ｃ断面図である。
第１光源３又は第２光源４を点灯させた場合において、その光を通過させて表示を行う場合に、第１印刷部分１０ｂ、第２印刷部分１０ｃ、調光印刷部１０ｆは、拡散印刷部１０ａ（又は拡散シート１０ｈ）で拡散処理が行なわれるが、第１光源３または、第２光源４に近い位置のほうが、輝度が高くなる輝度ムラを生じてしまう。
【００３６】
輝度ムラが大きい場合には、調光の効果が失われることになり、調光印刷部１０ｆと第１印刷部分１０ｂ又は第２印刷部分１０ｃの違いが顕著に認識されてしまうことになる。このような場合には、表示品質が低下してしまうことになる。
これに対し本実施例３では、グラデーション部３１，３２，３３，３４を設けて、課題を解決している。
【００３７】
[表示品質の向上作用]
実施例３においては、第１印刷部分１０ｂと第２印刷部分１０ｃにインキの量を段階的に変化させたグラデーション部３１，３２を設けている。もちろん、このグラデーション部は、調光印刷部１０ｆに設けてもよく、段階的な変化は、本実施例３のように無段階なものでも、ステップ的に段階的なものであってもよい。
このグラデーション部３１，３２においては、インキの量の違いにより、通過できる光の量が抑制されるため、輝度が調整される。そのため、第１光源３又は第２光源４の光源に対する距離による輝度の差が調整される。よって、第１表示１２又は第２表示１３において、輝度ムラがなくなり、第１印刷部分１０ｂ，第２印刷部分１０ｃと調光印刷部１０ｆを一体の表示として認識させることをより確実にし、表示品質を向上させる。
【００３８】
また、実施例３においては、拡散印刷部１０ａにおいても、グラデーション部３３，３４を設けている。光源に近づくにつれてインキ量を多くすることにより、光源に近い位置では、通過する光の量が強く制限されるとともに、より拡散が進むことになる。よって、さらに、輝度ムラがなくなるとともに、光源の位置での光が表示に見えてしまうようなことがなくなる。
よって、さらに表示品質が向上する。
【００３９】
効果を説明する。実施例３の可変表示構造にあっては、以下の効果を有する。
(5)透過性のあるシート１０ｇに波長の異なる第１光源３の光と第２光源４の光を切り換えて投光させ、第１表示１２と第２表示１３を行なわせる可変表示構造であって、シート１０ｇの片面に施された、第１光源３の波長のみを透過させる第１印刷部分１０ｂと、シート１０ｇの第１印刷部分１０ｂを設けた面に施された、第２光源４の波長のみを透過させる第２印刷部分１０ｃと、シート１０ｇに施された、第１光源３の波長と第２光源４の波長を透過させない背景印刷部分１０ｅと、シート１０ｇに施された、第１表示１２と第２表示１３の重複する部分と重なる部分で、第１光源３及び第２光源４の光を抑制する調光印刷部分１０ｆとを備え、第１印刷部分１０ｂ、第２印刷部分１０ｃに、インキの量を段階的に変化させたグラデーション部を設けたため、輝度ムラをなくし、表示品質を向上させることができる。
【００４０】
(6)背景印刷部分１０ｅと調光印刷部分１０ｆをシート１０ｇの第１印刷部分１０ｂに設けた面に施すようにし、シート１０ｇの第１印刷部分１０ｂを設けた面と反対側の面に、第１光源３及び第２光源４の光を拡散させる拡散印刷部１０ａを設け、拡散印刷部１０ａに、インキの量を段階的に変化させたグラデーション部２３，２４を設けたため、光源に近い位置の光の通過の制限と拡散を進め、光源の位置での光が表示に見えないようにでき、さらに表示品質を向上させることができる。
その他作用、効果は実施例１と同様であるので説明を省略する。
【実施例４】
【００４１】
実施例４は、インキの量の変化を、光源の光と同色系のインキの量の変化とした例である。
図１１は、実施例４における可変表示構造の説明図であり、図１２は、実施例４におけるインキの量の説明図である。
実施例４では、例えば、第１光源３が赤い発光を行い、第２光源４が青い発光を行なうとする。
図１１は、説明上、第１表示１２が赤い「Ｉ」の表示、第２表示１３が青い「Ｅ」の表示を行なうものとする。この状態で、調光印刷部１０ｆを、図１１(b)に示すように、赤い第１光源３の近くでは青系のインキ量を増やし、赤い第１光源３の遠くでは青系のインキ量を少なくする。青い第２光源４の近くでは赤系のインキ量を増やし、青い第２光源の遠くでは赤系のインキ量を少なくする。よって、実施例４では、調光印刷部１０ｆ全体がグラデーション部に相当する。なお、このグラデーション部に相当する部分は一部に設けるものであってもよい。
【００４２】
作用を説明する。
[輝度ムラについて]
表示の輝度ムラについて、図１３を参照して説明する。図１３に示すように、変化のない印刷が行われ、第１光源３を赤い発光、第２光源４を青い発光とした場合、調光印刷部１０ｆでは、赤い発光と青い発光のいずれにおいても、光を通過させ、かつ、赤い発光の場合に赤色と一体の意匠「Ｉ」と認識させる色での光の透過を行い、青い発光の場合に青色と一体の意匠「Ｅ」と認識させる色での光の透過を行なう。
この調光印刷部１０ｆにおいても、輝度ムラが発生し、光源の近くが明るすぎ、光源から離れると暗くなる表示となる。この変化が大きい場合には、調光の効果が失われることになり、調光印刷部１０ｆと第１印刷部分１０ｂ又は第２印刷部分１０ｃの違い（色差）が顕著に認識されてしまうことになる。このような場合には、表示品質が低下してしまうことになる。
これに対し本実施例４では、調光印刷部１０ｆにおいて、赤系インキ量と青系インキ量を段階的に変化させることで課題を解決している。
【００４３】
[表示品質の向上作用]
本実施例４では、第１光源３が赤い発光を行なうと、まず、第１印刷部分１０ｂがこの赤い発光を通過させることで、赤い透過光を通過させる。言い換えれば、第１印刷部分１０ｂは赤い発光を行なう。調光印刷部１０ｆでは、赤い光に対して赤に近く、例えばピンクに近い色で発光するよう赤色光を透過させる。
この調光印刷部１０ｆは、赤色系のインキ量が第１光源３からの距離に対し、一定であるならば、光源から遠い位置が暗くなり、全体として赤い「Ｉ」の文字が「Ｉ」かどうかわかりにくくなり、又は認識できなくなる。
本実施例４では、赤色光を発する第１光源３からの距離が近くなるほど、青色系のインキ量が多くなるため、透光量が調整され、光源からの遠近に対しても、輝度が一定な調光印刷部１０ｆとなり、全体として赤い「Ｉ」であるとはっきり見て取れる。つまり認識性が向上する。
【００４４】
第２光源４が青い発光を行なう場合には、第２印刷部分１０ｃが青い光を通過させることで、青い発光を行なう。調光印刷部１０ｆでは、青い光に対しては、青に近く、例えば紫色に近い色で発光するよう青色光を透過させる。
この青色光の場合においても、青色光を発する第２光源４からの距離が近くなるほど、赤色系のインキ量が多くなるため、光源からの遠近に対しても、輝度が一定な調光印刷部１０ｆとなり、全体として青い「Ｅ」であるとはっきり認識できる。
【００４５】
効果を説明する。実施例４の可変表示構造では、以下の効果を有する。
(7)調光印刷部分１０ｆをグラデーション部とし、赤色系のインキ量を、赤色光を発する第１光源３から距離が遠くなるにつれて徐々に多くするようにし、青色系のインキ量を、青色光を発する第２光源４から距離が遠くなるにつれて徐々に多くするようにしたため、距離による色度の差をなくし、表示品質を向上できる。また、言い換えれば高品質の２種類の表示を同じ部位で切り換えて行うことができる。
また、実施例４では、調整印刷部分１０ｆにおいて、青系、赤系のインキ量について、光源からの距離に応じて段階的に変化させたが、全体のインキ量を光源からの距離に応じて段階的に変化させるようにしてもよい。全体のインキ量を変化させた場合の効果を以下に示す。
(8)調光印刷部分１０ｆは、全体のインキ量を光源との距離に応じて段階的に変化させたため、容易に光源との距離に関する輝度の調整を行うことができる。
【００４６】
以上、本発明の可変表示構造を実施例１〜実施例４に基づき説明してきたが、具体的な構成については、これらの実施例に限られるものではなく、特許請求の範囲の各請求項に係る発明の要旨を逸脱しない限り、設計の変更や追加等は許容される。
第１表示、第２表示の色は他の色であってもよい。
第１印刷部分、第２印刷部分、背景印刷部、調光印刷部、拡散印刷部のシートへの印刷は、シルク印刷、凸版印刷、インクジェット印刷、熱転写印刷があり、いずれの印刷によるものでもよい。また、他の印刷によるものであってもよい。
調光印刷部は、輝度調整のために、黒点を所定密度で設けるものであってもよい。
【００４７】
実施例１〜実施例４は、説明上、それぞれ個別の例として説明したが、組み合わせて用いるようにしてもよい。特に、実施例３のグラデーション部は実施例４のグラデーション部と組み合わせるとよい。組み合わせると輝度と色みの両方で表示品質が向上するため、非常に効果が高くなる。
【図面の簡単な説明】
【００４８】
【図１】実施例１の可変表示構造を示す断面図である。
【図２】実施例１の可変表示構造のカラーフィルタの正面図及び背面図である。
【図３】図２(a)のＡ−Ａ断面図である。
【図４】実施例１の可変表示構造の断面図である。
【図５】実施例１の可変表示構造の第１表示と第２表示を示す説明図である。
【図６】実施例１の可変表示構造の第１印刷部分、第２印刷部分の特性と第１光源、第２光源の波長との関係を示す説明図である。
【図７】実施例２の可変表示構造のカラーフィルタの断面図である。
【図８】実施例２の可変表示構造の断面図である。
【図９】実施例３における第１表示を示す説明図である。
【図１０】図９のＢ−Ｂ断面図である。
【図１１】実施例４における可変表示構造の説明図である。
【図１２】実施例４におけるインキの量の説明図である。
【図１３】実施例３において、グラデーション部を設けない場合を示す説明図である。
【図１４】図１３のＣ−Ｃ断面図である。
【符号の説明】
【００４９】
１  スイッチ
２  スイッチフィニッシャ
３  第１光源
４  第２光源
５  タクトスイッチ
６  基板
７  ガイドハウジング
８  スライダ
８ａ  係合部
１０  カラーフィルタ
１０ａ  拡散印刷部
１０ｂ  第１印刷部分
１０ｃ  第２印刷部分
１０ｄ  重なり部分
１０ｅ  背景印刷部分
１０ｆ  調光印刷部分
１０ｇ  シート
１０ｈ  拡散シート
１１  スモークレンズ
１２  第１表示
１３  第２表示
２１〜２５  線
３１〜３４  グラデーション部
【図１】
2006126297.tif 000003
【図２】
2006126297.tif 000004
【図３】
2006126297.tif 000005
【図４】
2006126297.tif 000006
【図５】
2006126297.tif 000007
【図６】
2006126297.tif 000008
【図７】
2006126297.tif 000009
【図８】
2006126297.tif 000010
【図９】
2006126297.tif 000011
【図１０】
2006126297.tif 000012
【図１２】
2006126297.tif 000013
【図１４】
2006126297.tif 000014
【図１１】
2006126297.tif 000015
【図１３】
2006126297.tif 000016